(57)【要約】【課題】本発明に係る加湿装置は、加湿用ファンの破損を防止することができる。【解決手段】加湿装置６０は、加湿ロータ６３と、加湿用ヒータ７１と、加湿用ファン７５と、遮蔽部材９３とを備える。加湿ロータ６３は、水を吸着する吸湿領域と、加熱されることにより吸湿領域で吸着された水を放出する放湿領域とを有する。加湿用ヒータ７１は、放湿領域を加熱する。加湿用ファン７５は、吸い込み口８１ａを有する。吸い込み口８１ａは、加湿用ヒータ７１によって加熱された空気である加熱空気が加湿ロータ６３を通過するように、加熱空気を吸い込む。遮蔽部材９３は、加湿ロータ６３を通過した後であって吸い込み口８１ａに吸い込まれる前の加熱空気が衝突する部材である。遮蔽部材９３は、加熱空気の流れを変化させて、加熱空気が加湿用ファン７５に局所的に当たることを防ぐ。【選択図】図６
2018071880.tif 000002
【特許請求の範囲】
【請求項１】
水を吸着する吸湿領域と、加熱されることにより前記吸湿領域で吸着された水を放出する放湿領域とを有する加湿ロータ（６３）と、
前記放湿領域を加熱する加湿用ヒータ（７１）と、
前記加湿用ヒータによって加熱された空気である加熱空気が前記加湿ロータを通過するように、前記加熱空気を吸い込む吸い込み口（８１ａ）を有する加湿用ファン（７５）と、
前記加湿ロータを通過した後であって前記吸い込み口に吸い込まれる前の前記加熱空気が衝突する部材であって、前記加熱空気の流れを変化させる遮蔽部材（９３）と、
を備える、加湿装置（６０）。
【請求項２】
前記遮蔽部材は、前記加熱空気に対する耐熱性を有する、
請求項１に記載の加湿装置。
【請求項３】
前記遮蔽部材は、金属製である、
請求項１または２に記載の加湿装置。
【請求項４】
前記遮蔽部材は、前記加湿ロータと前記吸い込み口との間に配置され、前記吸い込み口と対向する板である、
請求項１から３のいずれか１項に記載の加湿装置。
【請求項５】
前記加湿用ファンは、回転軸を中心に回転するファンロータ（７５ａ）を有し、
前記吸い込み口は、前記回転軸に沿って視た場合に、前記ファンロータの中央に位置し、
前記ファンロータは、前記加熱空気に対する耐熱性を有さない、
請求項１から４のいずれか１項に記載の加湿装置。
【発明の詳細な説明】
【技術分野】
【０００１】
本発明は、空気中の水分を吸着する吸湿と、空気中に水分を放出する放湿とを繰り返し行うことができる加湿ロータを備える加湿装置に関する。
【背景技術】
【０００２】
従来、加湿機能付きの空気清浄機等に用いられる加湿装置として、水の吸着と放出とを繰り返すことができる加湿ロータを備える加湿装置が知られている。例えば、特許文献１（特開２００１−９１００２号公報）に開示されている加湿装置は、空気中の水分を吸着する吸湿領域と、吸着された水分を空気中に放出する放湿領域とを有する加湿ロータを備える。この加湿装置では、加湿ロータの放湿領域が加湿用ヒータによって加熱されて、放湿領域に吸着されている水分が空気中に放出される。放湿領域から放出された水分を含む空気は、加湿用ファンによって所定の空間に送られる。加湿用ファンは、加湿ロータを挟んで加湿用ヒータの反対側に配置されている。
【発明の概要】
【発明が解決しようとする課題】
【０００３】
このような加湿装置では、加湿用ファンの吸引力によって、加湿用ヒータによって加熱された空気は、加湿ロータの放湿領域を通過して、加湿用ファンの吸込口に吸い込まれる。加湿用ファンの吸込口が、加湿ロータの放湿領域と対向している場合、加湿用ヒータによって加熱された高温の空気は、放湿領域を通過した後、加湿用ファンの吸込口に吸い込まれる。しかし、加湿用ファンの吸込口に吸い込まれる高温の空気によって、加湿用ファンが局所的に加熱されるおそれがある。そのため、耐熱性が低い材質で加湿用ファンが成形されている場合、加湿用ファンが溶けて破損するおそれがある。
【０００４】
本発明の目的は、加湿用ファンの破損を防止することができる加湿装置を提供することである。
【課題を解決するための手段】
【０００５】
本発明の第１観点に係る加湿装置は、加湿ロータと、加湿用ヒータと、加湿用ファンと、遮蔽部材とを備える。加湿ロータは、水を吸着する吸湿領域と、加熱されることにより吸湿領域で吸着された水を放出する放湿領域とを有する。加湿用ヒータは、放湿領域を加熱する。加湿用ファンは、吸い込み口を有する。吸い込み口は、加湿用ヒータによって加熱された空気である加熱空気が加湿ロータを通過するように、加熱空気を吸い込む。遮蔽部材は、加湿ロータを通過した後であって吸い込み口に吸い込まれる前の加熱空気が衝突する部材である。遮蔽部材は、加熱空気の流れを変化させる部材である。
【０００６】
第１観点に係る加湿装置では、加湿ロータの放湿領域が加湿用ヒータによって加熱されることで、放湿領域に吸着されている水分が放出される。加湿用ヒータによって加熱された高温の空気である加熱空気は、加湿ロータの放湿領域を通過した後、放湿領域から放出された水分を含んで加湿用空気となり、加湿用ファンの吸い込み口に吸い込まれる。加湿用ファンは、加湿用空気となった加熱空気を吸い込むことで、加湿ロータを通過する加熱空気の流れを生み出す。遮蔽部材は、加湿用ファンに吸い込まれる前の加湿用空気の流れを変えることで、高温の加湿用空気が加湿用ファンに局所的に当たることを防ぐ。そのため、加湿用ファンの樹脂製ファンロータ等が加湿用空気によって耐熱温度以上に加熱されて、加湿用ファンが破損することが防止される。従って、第１観点に係る加湿装置は、遮蔽部材によって加湿用ファンの加熱を抑えることで、加湿用ファンの破損を防止することができる。
【０００７】
本発明の第２観点に係る加湿装置は、第１観点に係る加湿装置であって、遮蔽部材は、加熱空気に対する耐熱性を有する。
【０００８】
第２観点に係る加湿装置では、遮蔽部材は、加熱空気に対する耐熱性を有するので、遮蔽部材の熱による破損が防止される。遮蔽部材が破損すると、加湿用ファンに加熱空気が局所的に当たるおそれがある。従って、第２観点に係る加湿装置は、遮蔽部材の破損を防止することで、加湿用ファンの破損を防止することができる。
【０００９】
本発明の第３観点に係る加湿装置は、第１観点または第２観点に係る加湿装置であって、遮蔽部材は、金属製である。
【００１０】
第３観点に係る加湿装置では、遮蔽部材は、金属製であるので、遮蔽部材の熱による破損が防止される。遮蔽部材が破損すると、加湿用ファンに加熱空気が局所的に当たるおそれがある。また、加熱空気によって加熱された遮蔽部材からの輻射熱によって加湿ロータが加熱されることで、加湿ロータの放湿領域から放出される水分の量が増加する。従って、第３観点に係る加湿装置は、遮蔽部材の破損を防止することで、加湿用ファンの破損を防止することができ、かつ、遮蔽部材からの輻射熱によって、加湿量を増加することができる。
【００１１】
本発明の第４観点に係る加湿装置は、第１観点から第３観点のいずれか１つに係る加湿装置であって、遮蔽部材は、加湿ロータと吸い込み口との間に配置され、吸い込み口と対向する板である。
【００１２】
第４観点に係る加湿装置では、遮蔽部材は、加湿用ファンの吸い込み口と対向するように配置されている板であるので、加湿ロータを通過した加熱空気は、加湿用ファンの吸い込み口に吸い込まれる前に遮蔽部材に当たって拡散されやすい。すなわち、加湿ロータを通過した加熱空気の流れは、遮蔽部材に当たることで分散して、加湿用ファンの吸い込み口に到達する。これにより、遮蔽部材は、加湿用ファンに加熱空気が局所的に当たることを効果的に防ぐことができる。従って、第４観点に係る加湿装置は、加湿用ファンの吸い込み口と対向するように遮蔽部材を配置することで、加湿用ファンの破損を防止することができる。
【００１３】
本発明の第５観点に係る加湿装置は、第１観点から第４観点のいずれか１つに係る加湿装置であって、加湿用ファンは、回転軸を中心に回転するファンロータを有する。吸い込み口は、回転軸に沿って視た場合に、ファンロータの中央に位置する。ファンロータは、加熱空気に対する耐熱性を有さない。
【００１４】
第５観点に係る加湿装置では、加湿用ファンのファンロータは、例えば樹脂製である。そのため、加湿用ファンの吸い込み口に吸い込まれた加熱空気が、ファンロータに局所的に当たると、ファンロータが熱によって破損するおそれがある。しかし、遮蔽部材は、ファンロータに加熱空気が局所的に当たることを防ぐことができる。従って、第５観点に係る加湿装置は、遮蔽部材によってファンロータの加熱を抑えることで、加湿用ファンの破損を防止することができる。
【発明の効果】
【００１５】
本発明の第１観点に係る加湿装置は、遮蔽部材によって加湿用ファンの加熱を抑えることで、加湿用ファンの破損を防止することができる。
【００１６】
本発明の第２観点に係る加湿装置は、遮蔽部材の破損を防止することで、加湿用ファンの破損を防止することができる。
【００１７】
本発明の第３観点に係る加湿装置は、遮蔽部材の破損を防止することで、加湿用ファンの破損を防止することができ、かつ、遮蔽部材からの輻射熱によって、加湿量を増加することができる。
【００１８】
本発明の第４観点に係る加湿装置は、加湿用ファンの吸い込み口と対向するように遮蔽部材を配置することで、加湿用ファンの破損を防止することができる。
【００１９】
本発明の第５観点に係る加湿装置は、遮蔽部材によってファンロータの加熱を抑えることで、加湿用ファンの破損を防止することができる。
【図面の簡単な説明】
【００２０】
【図１】本発明に係る加湿装置の一実施形態である加湿ユニット６０を備える空調機１０の構成図である。
【図２】ケーシング４０の天板４８が取り外された状態の室外ユニット３０の平面図である。
【図３】図２の室外ユニット３０から防護用グリル５６が取り外された状態の室外ユニット３０の正面図である。
【図４】加湿ロータ６３を通過する空気の流れを示す図である。
【図５】吸着用ダクト６８、加湿用ダクト７３、加湿用ファン７５、及び第２加湿用ダクト１８０の斜視図である。
【図６】ロータ枠壁６５の斜視図である。
【図７】ロータ枠壁６５の正面図である。
【図８】図７に示される囲み面６５ｂで囲まれる領域の模式図である。
【図９】加湿用空気吐出孔６５ｅの近傍に取り付けられる遮蔽部材９３を示す図である。
【図１０】変形例Ｂにおける加湿用空気吐出孔６５ｅと対向する遮蔽部材１９３を示す図である。
【発明を実施するための形態】
【００２１】
本発明の実施形態について、図面を参照しながら説明する。以下に説明される実施形態は、本発明の具体例であって、本発明の技術的範囲を限定するものではない。
【００２２】
（１）空調機１０の構成
図１は、本発明に係る加湿装置の一実施形態である加湿ユニット６０を備える空調機１０の構成図である。空調機１０は、冷媒回路を循環する冷媒を用いる冷凍サイクルを備える冷凍装置である。空調機１０は、主として、室内ユニット２０と、室外ユニット３０とを備える。室内ユニット２０及び室外ユニット３０は、冷媒連絡配管１４，１６及び給気ホース１８によって互いに接続されている。図１では、室内ユニット２０及び室外ユニット３０を通過する空気の流れが、白抜きの矢印で示されている。
【００２３】
空調機１０は、冷房運転、暖房運転、除湿運転、加湿運転、及び給気運転等の複数の運転モードを有する。加湿運転、及び給気運転では、室内に空気を供給するために、給気ホース１８を通して室外ユニット３０から室内ユニット２０へ空気が送られる。特に、加湿運転では、水分を多く含んだ湿度の高い空気を室外ユニット３０から室内ユニット２０に送るため、室外ユニット３０において外気から水分が取り込まれる。室外ユニット３０は、外気から水分を取り込む機能を有する加湿ユニット６０を備える。図１では、加湿ユニット６０を通過する空気の流れが、点線の矢印で示されている。
【００２４】
（２）室内ユニット２０の構成
室内ユニット２０は、主として、室内熱交換器２１と、室内ファン２２とを備える。図１に示されるように、室内ファン２２は、室内熱交換器２１の下流側に配置され、室内ファンモータ２２ａによって駆動される。室内ファン２２が駆動されると、室内ユニット２０上部の室内吸込口２３から吸い込まれた室内空気は、室内熱交換器２１を通過して、室内ユニット２０下部の室内吹出口２４から吹き出される。室内ファン２２は、例えば、クロスフローファンである。
【００２５】
室内ユニット２０では、室内給気口２５が、室内熱交換器２１の上流側空間に設けられている。給気ホース１８の一端は、室内給気口２５に接続され、給気ホース１８の他端は、室外ユニット３０の加湿ユニット６０に接続される。加湿ユニット６０から送られてきた湿度の高い空気は、室内給気口２５を介して、室内熱交換器２１の上流側空間に供給される。室内熱交換器２１の上流側空間に湿度の高い空気が供給されている状態で室内ファン２２が駆動されることにより、室内ユニット２０の室内吹出口２４から吹き出される調和空気の湿度を高くすることができる。
【００２６】
（３）室外ユニット３０の構成
室外ユニット３０は、主として、ケーシング４０、圧縮機３１、室外熱交換器３３、室外ファン３９、及び加湿ユニット６０を備える。室外ユニット３０内部の冷媒回路には、四路切換弁３２、電動膨張弁３４、アキュムレータ３６、液側閉鎖弁３７、及びガス側閉鎖弁３８が取り付けられている。
【００２７】
図２は、ケーシング４０の天板４８が取り外された状態の室外ユニット３０の平面図である。図３は、図２の室外ユニット３０から防護用グリル５６が取り外された状態の室外ユニット３０の正面図である。図２では、室外ユニット３０を通過する空気の流れが、点線の矢印で示されている。
【００２８】
（３−１）ケーシング４０
ケーシング４０は、主として、左側板４５、前板４６、右側板４７、天板４８（図３参照）、底板４９（図３参照）、及び背面部４４から構成される。ケーシング４０の内部空間は、仕切部材４３によって送風機室４１と機械室４２とに区画されている。送風機室４１は、室外熱交換器３３、室外ファン３９、及び加湿ユニット６０の一部が配置される空間である。機械室４２は、圧縮機３１、及び加湿ユニット６０の一部が配置される空間である。
【００２９】
仕切部材４３は、天板４８側から底板４９側に向かって、右側板４７と略並行に延びている板状部材である。仕切部材４３は、前板４６の内側から、室外熱交換器３３の右側板４７側の端部に向かって、円弧状に延びている。その結果、仕切部材４３は、送風機室４１から機械室４２に向かって空気の流れが回り込まないように、空気の流れを遮蔽する機能を有する。
【００３０】
図３に示されるように、送風機室４１には、電装品ユニット５０が設置されている。電装品ユニット５０は、圧縮機３１及び室外ファン３９等を駆動するための電子部品が集約された制御基板を搭載している。
【００３１】
図３に示されるように、前板４６には、円形の室外吹出口４６ａが形成されている。室外吹出口４６ａには、その周縁に沿うようにリング状のベルマウス５２が取り付けられている。図２に示されるように、ケーシング４０の前板４６には、防護用グリル５６が取り付けられている。防護用グリル５６は、室外吹出口４６ａを覆っている。防護用グリル５６には、ケーシング４０の内部空間から外部空間に空気を吹き出すための複数の開口が形成されている。
【００３２】
（３−２）圧縮機３１
図１に示されるように、圧縮機３１は、機械室４２に配置されている。圧縮機３１は、底板４９に固定されている。圧縮機３１は、運転時に高温になるので、機械室４２は送風機室４１と比べて温度が高くなる。
【００３３】
（３−３）室外熱交換器３３
図２に示されるように、室外熱交換器３３は、ケーシング４０の背面部４４及び左側板４５と対向するように、Ｌ字状に成形されている。室外熱交換器３３の鉛直方向の寸法は、天板４８と底板４９との間の距離にほぼ等しい。
【００３４】
（３−４）室外ファン３９
室外ファン３９は、室外熱交換器３３の下流側に配置されている。室外ファン３９は、室外ファンモータ３９ａと、プロペラ３９ｂとを有する。プロペラ３９ｂは、室外ファンモータ３９ａによって駆動される。プロペラ３９ｂの一部は、ベルマウス５２で囲まれた空間内に配置されている。
【００３５】
室外ファンモータ３９ａによってプロペラ３９ｂが駆動されると、室外熱交換器３３の背面部４４側から外気が吸い込まれる。吸い込まれた外気は、室外熱交換器３３を通過し、室外吹出口４６ａ（図３参照）から吹き出される。室外吹出口４６ａの前面は防護用グリル５６（図２参照）で覆われているので、室外ユニット３０の外側からはプロペラ３９ｂに触れられないようになっている。
【００３６】
（３−５）加湿ユニット６０
図２に示されるように、加湿ユニット６０は、前板４６と背面部４４との間において、送風機室４１と機械室４２とに跨るように配置されている。具体的には、加湿ユニット６０の一部は、送風機室４１に配置され、その他の部分は、機械室４２に配置されている。加湿ユニット６０は、送風機室４１及び機械室４２の上部に配置され、仕切部材４３の一部分としての機能を有する。
【００３７】
加湿ユニット６０は、主として、加湿ロータ６３、加湿用ヒータ７１、吸着用ダクト６８、加湿用ダクト７３、加湿用ファン７５（図１参照）、及び第２加湿用ダクト１８０を有している。
【００３８】
（３−５−１）加湿ロータ６３
加湿ロータ６３は、円盤形状の部材である。加湿ロータ６３は、回転軸の周りを回転しながら、空気中に含まれる水分の吸着および放出を行う。加湿ロータ６３の回転軸は、加湿ロータ６３の円形の主表面の中心を通り、かつ、水平方向に沿って延びている。すなわち、加湿ロータ６３は、その主表面が鉛直方向に沿うように配置されている。
【００３９】
加湿ロータ６３は、前板４６と対向するように配置されている。図３に示されるように、加湿ロータ６３の一部は、前板４６に形成される開口である室外吸込口４６ｂと対向する。室外吸込口４６ｂは、中心角が約２４０°の扇形を有する。室外吸込口４６ｂの扇形の中心は、加湿ロータ６３の回転軸上に位置している。加湿ロータ６３は、ロータ枠壁６５によって囲まれている。ロータ枠壁６５については、後述する。
【００４０】
図４は、加湿ロータ６３を通過する空気の流れを示す図である。図４では、加湿ロータ６３を通過する空気の流れが、白抜きの矢印で示され、かつ、加湿ロータ６３の回転方向が、点線の矢印で示されている。図４に示されるように、加湿ロータ６３は、水分吸着領域６３ａと水分放出領域６３ｂとを有する。水分吸着領域６３ａは、加湿ロータ６３の主表面の一部であって、室外吸込口４６ｂと対向する領域である。水分放出領域６３ｂは、加湿ロータ６３の主表面の一部であって、室外吸込口４６ｂと対向しない領域である。水分吸着領域６３ａは、室外吸込口４６ｂと同様に、中心角が約２４０°の扇形を有する。水分放出領域６３ｂは、水分吸着領域６３ａに隣接し、中心角が約１２０°の扇形を有する。水分吸着領域６３ａは、空気中に含まれる水分が吸着される領域である。水分放出領域６３ｂは、吸着された水分が空気中に放出される領域である。水分吸着領域６３ａは、水分放出領域６３ｂよりもベルマウス５２側に配置されている。
【００４１】
加湿ロータ６３が回転軸周りに回転することで、水分吸着領域６３ａが水分放出領域６３ｂとなり、水分放出領域６３ｂが水分吸着領域６３ａとなる。これにより、加湿ロータ６３は、その回転軸周りに回転することで、空気中に含まれる水分の吸着および放出を繰り返し行うことができる。
【００４２】
水分吸着領域６３ａ及び水分放出領域６３ｂは、ゼオライト等の焼成によって形成されるハニカム構造を有する。ゼオライト等の吸着剤は、常温で空気中の水分を吸着し、かつ、高温の空気に曝されて加熱されることで吸着した水分を放出する。
【００４３】
図４に示されるように、加湿ロータ６３の外周面には、周方向に沿って複数の歯６３ｔが形成されている。これにより、加湿ロータ６３は、複数の歯６３ｔを有する歯車として機能する。図３に示されるように、加湿ロータ６３の歯６３ｔは、ピニオンギア６４ａと噛み合っている。ピニオンギア６４ａは、ロータ駆動用モータ６４の動力によって回転する。ピニオンギア６４ａの回転運動によって、加湿ロータ６３は、その回転軸周りに回転することができる。
【００４４】
（３−５−２）加湿用ヒータ７１
加湿用ヒータ７１は、加湿ロータ６３の水分放出領域６３ｂと前板４６との間において、水分放出領域６３ｂと対向するように配置されている。図４に示されるように、加湿用ヒータ７１は、加湿ロータ６３の水分放出領域６３ｂから水分を放出させるために、水分放出領域６３ｂに送られる空気を加熱する。加湿用ヒータ７１によって加熱された空気は、水分放出領域６３ｂを通過するときに加湿ロータ６３から水分を放出させて、湿度が高い空気となる。
【００４５】
図４に示されるように、加湿用ヒータ７１で加熱される空気は、加湿ロータ６３の水分放出領域６３ｂを通過した空気である。この空気は、ケーシング４０に形成された加湿用開口４０ａ（図１参照）から取り込まれた外気である。
【００４６】
図４に示されるように、水分放出領域６３ｂにおいて、加湿用開口４０ａから取り込まれた外気が通過する領域は、加湿用ヒータ７１で加熱された空気が通過する領域よりも、加湿ロータ６３の回転方向下流側に位置している。加湿用開口４０ａから取り込まれた外気が加湿用ヒータ７１で加熱される前に水分放出領域６３ｂを通過することで、水分放出領域６３ｂから熱が回収される。
【００４７】
（３−５−３）吸着用ダクト６８
図５は、吸着用ダクト６８、加湿用ダクト７３、加湿用ファン７５、及び第２加湿用ダクト１８０の斜視図である。
【００４８】
吸着用ダクト６８は、加湿ロータ６３の水分吸着領域６３ａに、水分を含む空気である外気を導くための部材である。吸着用ダクト６８は、前板４６の室外吸込口４６ｂに向かって開口する空気流入口６８１を有する。空気流入口６８１の形状は、室外吸込口４６ｂと同様に、中心角が約２４０°の扇形である。空気流入口６８１は、室外吸込口４６ｂに接続されている。
【００４９】
図４に示されるように、室外吸込口４６ｂから吸い込まれた外気は、吸着用ダクト６８内を流れて、加湿ロータ６３の水分吸着領域６３ａに到達し、水分吸着領域６３ａを通過する。このとき、外気中に含まれる水分は、水分吸着領域６３ａに吸着される。水分吸着領域６３ａを通過した空気は、吸着用ダクト６８の空気流出口６８３（図２参照）から排出される。空気流出口６８３は、室外ファン３９が回転するときに負圧になる空間（ベルマウス５２の上流側の空間）に接している。そのため、室外ファン３９の回転によって、空気流出口６８３側の気圧は空気流入口６８１側の気圧より低くなるので、空気流入口６８１から外気が吸い込まれる。
【００５０】
図３に示されるように、室外吸込口４６ｂは、室外吹出口４６ａと同様に、前板４６に開口している。図４に示されるように、室外ファン３９によって室外熱交換器３３を通過した空気は、押し出されて、室外吹出口４６ａから勢いよくケーシング４０の外部に吹き出される。そのため、室外吹出口４６ａから吹き出された空気が、室外吸込口４６ｂに吸い込まれることはない。これにより、暖房運転時に室外熱交換器３３を通過して室外吹出口４６ａから吹き出された低温の空気が、室外吸込口４６ｂを経由して空気流入口６８１に吸い込まれることが回避される。低温の空気が空気流入口６８１に吸い込まれた場合、加湿ロータ６３が吸着できる水分量が低下する。そのため、室外吹出口４６ａから吹き出された空気が室外吸込口４６ｂに吸い込まれることを回避することで、加湿ロータ６３が吸着できる水分量の低下が抑制される。
【００５１】
（３−５−４）加湿用ダクト７３
加湿用ダクト７３は、加湿用ヒータ７１によって加熱され水分放出領域６３ｂを通過した空気を加湿用ファン７５まで導く。加湿用ダクト７３に導かれる空気の流れは、加湿用ファン７５によって発生する。
【００５２】
加湿用ダクト７３に導かれる空気は、加湿用ヒータ７１によって加熱されて高温の空気となり、さらに、水分放出領域６３ｂを通過する際に水分放出領域６３ｂから水分を放出させる。図４に示されるように、水分放出領域６３ｂを通過して高温高湿となった空気は、後述する遮蔽部材９３によって流れを変えられた後、加湿用ダクト７３内を流れて、加湿用ファン７５まで導かれる。
【００５３】
（３−５−５）加湿用ファン７５
加湿用ファン７５は、機械室４２に配置されている。加湿用ファン７５は、図１に示されるように、ファンロータ７５ａと、ファンモータ７５ｂとを有する。ファンロータ７５ａは、回転軸周りに回転することで、加湿ロータ６３の水分放出領域６３ｂを通過して加湿された空気を所定の方向へ送り出す。ファンモータ７５ｂは、ファンロータ７５ａを駆動する。加湿用ファン７５は、ファンロータ７５ａの回転軸が水平方向に沿うように配置される。ファンロータ７５ａの回転軸は、ファンモータ７５ｂの回転軸に接続されている。ファンロータ７５ａは、樹脂製である。
【００５４】
ファンロータ７５ａは、ファンケーシング８１に囲まれている。ファンケーシング８１の出口は、第２加湿用ダクト１８０の入口と繋がっている。ファンモータ７５ｂは、モータカバー８２によって覆われている。図４，５に示されるように、ファンケーシング８１は、加湿用ファン７５によって吸い込まれる空気が通過する吸い込み口８１ａを有する。吸い込み口８１ａは、ファンケーシング８１の入口に相当し、加湿用ダクト７３の出口に接続されている。加湿用ファン７５の吸い込み口８１ａは、ファンロータ７５ａの回転軸に沿って視た場合に、ファンロータ７５ａの中央に位置するように設けられている。加湿用ダクト７３を流れて吸い込み口８１ａに吸い込まれた空気は、回転するファンロータ７５ａによって第２加湿用ダクト１８０に送られる。
【００５５】
（３−５−６）第２加湿用ダクト１８０
第２加湿用ダクト１８０は、加湿用ファン７５によって送られてきた高温高湿の空気を、給気ホース１８（図１参照）の接続口まで導くダクトである。第２加湿用ダクト１８０のほぼ全体は、機械室４２に配置されている。しかし、第２加湿用ダクト１８０の一部であって、給気ホース１８の接続口に接続される部分は、右側板４７を挟んで機械室４２の反対側に位置している（図２参照）。
【００５６】
図５に示されるように、第２加湿用ダクト１８０は、水平ダクト部１８１と、鉛直ダクト部１８２とを有している。水平ダクト部１８１は、高温高湿の空気を水平方向に導く。鉛直ダクト部１８２は、水平ダクト部１８１に接続され、水平ダクト部１８１を通過した高温高湿の空気を下方に導く。水平ダクト部１８１は、機械室４２内部から右側板４７に向かって延びている。鉛直ダクト部１８２は、水平ダクト部１８１との接続部から下方に向かって延びている。鉛直ダクト部１８２の終端は、給気ホース１８の接続口と接続されている。
【００５７】
（４）加湿ロータ６３及びロータ枠壁６５の詳細な構成
ロータ枠壁６５は、加湿ロータ６３を所定の位置において回転可能に支持するための部材である。図６は、ロータ枠壁６５の斜視図である。図７は、ロータ枠壁６５の正面図である。図７では、ロータ枠壁６５に支持されている加湿ロータ６３の円盤形状の輪郭が点線で示されている。図７では、加湿ロータ６３の回転方向が、点線の矢印で示されている。図７は、加湿ロータ６３の回転軸６３ｃに沿って視た図である。
【００５８】
ロータ枠壁６５は、加湿ロータ６３の周囲を囲む環状部６５ａを有する。図７に示されるように、環状部６５ａの内周面である囲み面６５ｂは、加湿ロータ６３の径方向外側において、加湿ロータ６３の外周面と対向する面である。加湿ロータ６３の径方向とは、加湿ロータ６３の円形の主表面の径方向である。
【００５９】
図６，７に示されるように、ロータ枠壁６５には、樹脂製の軸受部材６５ｃが取り付けられている。軸受部材６５ｃは、シャフト６６を有する。シャフト６６は、加湿ロータ６３を回転自在に支持するためのテーパ形状の突起である。加湿ロータ６３の回転軸６３ｃに沿って視た場合に、軸受部材６５ｃは、ロータ枠壁６５の環状部６５ａの中央部に位置している。
【００６０】
図４，７に示されるように、加湿ロータ６３は、シャフト６６を通すためのシャフト貫通孔６７を有する。シャフト貫通孔６７は、加湿ロータ６３の主表面の中央部に形成されている。シャフト貫通孔６７は、シャフト６６と同様に、テーパ形状を有する。加湿ロータ６３のシャフト貫通孔６７に、ロータ枠壁６５に取り付けられている軸受部材６５ｃのシャフト６６を通すことによって、加湿ロータ６３がロータ枠壁６５に取り付けられる。
【００６１】
ロータ駆動用モータ６４の動力によって加湿ロータ６３が回転軸６３ｃ周りに回転している間、加湿ロータ６３のシャフト貫通孔６７の内周面は、シャフト６６の外周面と摺動する。すなわち、シャフト貫通孔６７の内周面は、すべり軸受のすべり面に相当する。
【００６２】
図８は、図７に示される囲み面６５ｂで囲まれる領域の模式図である。図８では、ロータ枠壁６５に支持されている加湿ロータ６３の円盤形状の輪郭が点線で示されている。図８には、加湿ロータ６３の回転方向が、点線の矢印で示されている。囲み面６５ｂで囲まれる領域は、主として、吸湿用空気通過領域９１と、放湿用空気通過領域９２とに区画される。放湿用空気通過領域９２は、さらに、加熱用空気通過領域９２ａと、冷却用空気通過領域９２ｂとに区画される。吸湿用空気通過領域９１は、中心角が約２４０°の扇形を有する。放湿用空気通過領域９２は、中心角が約１２０°の扇形を有する。ロータ枠壁６５に取り付けられている加湿ロータ６３を回転軸６３ｃに沿って視た場合に、加湿ロータ６３の水分吸着領域６３ａは、吸湿用空気通過領域９１に存在し、加湿ロータ６３の水分放出領域６３ｂは、放湿用空気通過領域９２に存在する。
【００６３】
図８に示されるように、回転する加湿ロータ６３は、回転軸６３ｃに沿って視た場合に、吸湿用空気通過領域９１、加熱用空気通過領域９２ａ及び冷却用空気通過領域９２ｂの順に通過する。吸湿用空気通過領域９１と加熱用空気通過領域９２ａとの間は、第１隔壁６５ｄ１によって区画されている。加熱用空気通過領域９２ａと冷却用空気通過領域９２ｂとの間は、第２隔壁６５ｄ２によって区画されている。冷却用空気通過領域９２ｂと吸湿用空気通過領域９１との間は、第３隔壁６５ｄ３によって区画されている。
【００６４】
吸湿用空気通過領域９１は、加湿ロータ６３の水分吸着領域６３ａを通過する空気が通過する領域である。図４に示されるように、室外吸込口４６ｂから吸い込まれた外気は、吸着用ダクト６８内を流れて、加湿ロータ６３の水分吸着領域６３ａに到達し、水分吸着領域６３ａを通過する。このとき、室外吸込口４６ｂから吸い込まれた外気は、吸湿用空気通過領域９１を通過する。
【００６５】
加熱用空気通過領域９２ａは、加湿ロータ６３の水分放出領域６３ｂを通過する空気が通過する領域である。図４に示されるように、加湿用ヒータ７１によって加熱された高温の空気は、加湿ロータ６３の水分放出領域６３ｂに到達し、水分放出領域６３ｂを通過する。このとき、加湿用ヒータ７１によって加熱された空気は、加熱用空気通過領域９２ａを通過する。
【００６６】
冷却用空気通過領域９２ｂは、加湿ロータ６３の水分吸着領域６３ａを通過する空気が通過する領域である。図４に示されるように、加湿用開口４０ａから取り込まれた外気は、加湿用ヒータ７１で加熱される前に、加湿ロータ６３の水分放出領域６３ｂに到達し、水分放出領域６３ｂを通過する。このとき、加湿用開口４０ａから取り込まれた外気は、冷却用空気通過領域９２ｂを通過する。
【００６７】
図６，７に示されるように、ロータ枠壁６５は、加湿用空気吐出孔６５ｅを有する。加湿用空気吐出孔６５ｅは、加熱用空気通過領域９２ａに形成される孔である。加湿用空気吐出孔６５ｅは、加湿用ダクト７３の入口に接続されている。加熱用空気通過領域９２ａにおいて、加湿ロータ６３の水分放出領域６３ｂを通過した高温の空気は、加湿用空気吐出孔６５ｅを経由して加湿用ダクト７３に流入し、加湿用ダクト７３を通過した後、加湿用ファン７５の吸い込み口８１ａに吸い込まれる。
【００６８】
図６，７に示されるように、加湿用空気吐出孔６５ｅの近傍には、遮蔽部材９３が取り付けられている。図６，７において、遮蔽部材９３は、ハッチングされた領域として示されている部材である。図９は、加湿用空気吐出孔６５ｅの近傍に取り付けられる遮蔽部材９３を示す図である。図９には、加湿用ファン７５の吸い込み口８１ａが示されている。吸い込み口８１ａは、回転軸６３ｃに沿った方向において加湿用空気吐出孔６５ｅの近傍に位置する。吸い込み口８１ａは、加湿ロータ６３の回転軸６３ｃに沿って視た場合に、加湿用空気吐出孔６５ｅと同じ位置にある。図９には、加湿ロータ６３の水分放出領域６３ｂを通過した高温高湿の空気の流れ方向が、白抜きの矢印で示されている。
【００６９】
遮蔽部材９３は、アルミニウム等の金属で成形されている。遮蔽部材９３は、２つの固定部９３ａと、複数の連結部９３ｂと、１つの遮蔽部９３ｃとから構成される。固定部９３ａは、遮蔽部材９３をロータ枠壁６５に固定するための部分である。具体的には、図６，７に示されるように、固定部９３ａは、第１隔壁６５ｄ１および第２隔壁６５ｄ２のそれぞれに、ネジ等によって固定される部分である。連結部９３ｂは、固定部９３ａと遮蔽部９３ｃとを連結する部分である。図９では、各固定部９３ａは、２つの連結部９３ｂを介して遮蔽部９３ｃに接続されている。遮蔽部９３ｃは、加湿用空気吐出孔６５ｅに対向する位置に配置される板状の部分である。図９では、遮蔽部９３ｃは、正方形の板状部材である。
【００７０】
遮蔽部材９３の遮蔽部９３ｃは、ロータ枠壁６５に接触していない。遮蔽部９３ｃは、ロータ枠壁６５に取り付けられた加湿ロータ６３と、加湿用空気吐出孔６５ｅとの間に位置している。すなわち、遮蔽部９３ｃは、加湿ロータ６３と、加湿用ファン７５の吸い込み口８１ａとの間に配置され、吸い込み口８１ａと対向している。図７に示されるように、加湿ロータ６３の回転軸６３ｃに沿って視た場合に、遮蔽部材９３の遮蔽部９３ｃは、加湿用空気吐出孔６５ｅを覆う位置に配置されている。
【００７１】
図４に示されるように、加湿用ヒータ７１によって加熱された高温の空気は、加湿ロータ６３の水分放出領域６３ｂに到達し、水分放出領域６３ｂを通過する。その後、水分放出領域６３ｂを通過した高温高湿の空気である加湿用空気は、図９に示されるように、遮蔽部９３ｃに衝突する。これにより、遮蔽部９３ｃの周縁部に向かって加湿用空気の流れが拡散して、加湿用空気が分散する。その後、分散した加湿用空気は、遮蔽部９３ｃを回り込んで、加湿用空気吐出孔６５ｅから加湿用ダクト７３に流入し、加湿用ファン７５の吸い込み口８１ａに吸い込まれる。
【００７２】
（５）空調機１０の動作
冷房運転モード、暖房運転モード、及び加湿運転モードのそれぞれにおける、空調機１０の動作について説明する。
【００７３】
（５−１）冷房運転
冷房運転時において、四路切換弁３２は、圧縮機３１の吐出側と室外熱交換器３３のガス側とを接続し、かつ、圧縮機３１の吸入側と室内熱交換器２１のガス側とを接続する。図１において、冷房運転時における四路切換弁３２の状態は、実線で示されている。
【００７４】
液側閉鎖弁３７及びガス側閉鎖弁３８は、開状態である。電動膨張弁３４の開度は、室内熱交換器２１の冷媒出口における冷媒の過熱度が所定の目標値で一定になるように調節される。
【００７５】
このような状態の冷媒回路において、圧縮機３１、室外ファン３９及び室内ファン２２の運転を開始すると、低圧のガス冷媒は、圧縮機３１に吸入されて圧縮されて高圧のガス冷媒となる。高圧のガス冷媒は、四路切換弁３２を経由して室外熱交換器３３に送られて、室外ファン３９によって供給される室外空気との熱交換により凝縮して高圧の液冷媒となる。高圧の液冷媒は、電動膨張弁３４で減圧されて気液二相状態の冷媒となった後、液側閉鎖弁３７及び液冷媒連絡配管１４を経由して、室内ユニット２０に送られる。
【００７６】
室内ユニット２０に送られた気液二相状態の冷媒は、室内熱交換器１５に入り、室内熱交換器１５において室内空気との熱交換により液冷媒が蒸発して低圧のガス冷媒となる。低圧のガス冷媒は、ガス冷媒連絡配管１６及びガス側閉鎖弁３８を経由して室外ユニット３０に送られ、四路切換弁３２を経由して、アキュムレータ３６に流入する。アキュムレータ３６に流入した低圧のガス冷媒は、再び、圧縮機３１に吸入される。
【００７７】
このように、空調機１０は、室外熱交換器３３を冷媒の凝縮器として機能させ、かつ、室内熱交換器２１を冷媒の蒸発器として機能させる冷房運転を行う。
【００７８】
（５−２）暖房運転
暖房運転時において、四路切換弁３２は、圧縮機３１の吐出側と室内熱交換器２１のガス側とを接続し、かつ、圧縮機３１の吸入側と室外熱交換器３３のガス側とを接続する。図１において、暖房運転時における四路切換弁３２の状態は、点線で示されている。
【００７９】
液側閉鎖弁３７及びガス側閉鎖弁３８は、開状態である。電動膨張弁３４の開度は、室外熱交換器３３に流入する冷媒の圧力が、室外熱交換器３３において液冷媒が完全に蒸発できる圧力まで低下するように調節される。
【００８０】
このような状態の冷媒回路において、圧縮機３１、室外ファン３９及び室内ファン２２の運転を開始すると、低圧のガス冷媒は、圧縮機３１に吸入されて圧縮されて高圧のガス冷媒となる。高圧のガス冷媒は、四路切換弁３２、ガス側閉鎖弁３８及びガス冷媒連絡配管１６を経由して、室内ユニット２０に送られる。
【００８１】
室内ユニット２０に送られた高圧のガス冷媒は、室内熱交換器２１において、室内空気との熱交換により凝縮して高圧の液冷媒となる。高圧の液冷媒は、液冷媒連絡配管１４及び液側閉鎖弁３７を経由して室外ユニット３０に送られる。
【００８２】
室外ユニット３０に送られた高圧の液冷媒は、電動膨張弁３４で減圧されて気液二相状態の冷媒となった後に、室外熱交換器３３に流入する。室外熱交換器３３に流入した低圧の気液二相状態の冷媒は、室外ファン３９によって供給される室外空気との熱交換により液冷媒が蒸発して低圧のガス冷媒となる。低圧のガス冷媒は、四路切換弁３２を経由してアキュムレータ３６に流入する。アキュムレータ３６に流入した低圧のガス冷媒は、再び、圧縮機３１に吸入される。
【００８３】
このように、空調機１０は、室内熱交換器２１を冷媒の凝縮器として機能させ、かつ、室外熱交換器３３を冷媒の蒸発器として機能させる暖房運転を行う。
【００８４】
（５−３）加湿運転
空調機１０の加湿運転は、暖房運転と組み合わされて行われる。図２、図３及び図５に示されるように、加湿ユニット６０の吸着用ダクト６８の空気流入口６８１（図５参照）は、前板４６の室外吸込口４６ｂ（図３参照）に向かって開口し、空気流出口６８３（図２参照）は、室外ファン３９が回転するときに負圧となるベルマウス５２の上流側に開口している。室外ファン３９が稼動すると、空気流出口６８３側の気圧が空気流入口６８１側より低くなり、室外熱交換器３３を通過していない外気が、空気流入口６８１から吸い込まれる。空気流入口６８１から吸い込まれた外気に含まれる水分は、加湿ロータ６３の水分吸着領域６３ａに吸着される。
【００８５】
加湿ロータ６３は、空気流入口６８１と空気流出口６８３との間であって、かつ、空気流出口６８３の近傍に位置する。加湿運転時において、加湿ロータ６３は、ロータ駆動用モータ６４の動力によって、その回転軸６３ｃを中心に所定の回転速度で回転する。加湿ロータ６３の回転によって、水分吸着領域６３ａで吸着された水分は、水分放出領域６３ｂまで運ばれる。
【００８６】
同時に、加湿用ファン７５の駆動によって、加湿用開口４０ａから取り込まれた外気が、加湿用ヒータ７１の周囲まで導かれて加熱される。加湿用ヒータ７１によって加熱された空気は、加湿ロータ６３の水分放出領域６３ｂを通過する。このとき、水分放出領域６３ｂにおいて、加熱された空気に曝された部分から水分が放出される。その後、水分放出領域６３ｂから放出された水分を含む高湿の空気は、加湿用ダクト７３に導かれ、加湿用ファン７５によって第２加湿用ダクト１８０内に供給される。第２加湿用ダクト１８０に供給された高湿の空気は、給気ホース１８を経由して室内ユニット２０へ導かれる。
【００８７】
（６）特徴
本実施形態の加湿ユニット６０では、加湿ロータ６３の水分放出領域６３ｂが加湿用ヒータ７１によって加熱されることで、水分放出領域６３ｂに吸着されている水分が放出される。加湿用ヒータ７１によって加熱された高温の空気である加熱空気は、加湿ロータ６３の水分放出領域６３ｂを通過した後、水分放出領域６３ｂから放出された水分を含んで加湿用空気となる。加湿用空気となった加熱空気は、加湿用空気吐出孔６５ｅを経由して、加湿用ダクト７３に流入し、加湿用ファン７５の吸い込み口８１ａに吸い込まれる。加湿用ファン７５は、加熱空気を吸い込むことで、加湿ロータ６３を通過して吸い込み口８１ａまで導かれる加熱空気の流れを生み出す。
【００８８】
加湿ユニット６０では、加湿用空気となった加熱空気が通過する加湿用空気吐出孔６５ｅの近傍には、遮蔽部材９３が配置されている。遮蔽部材９３は、加湿ロータ６３が取り付けられるロータ枠壁６５に固定されている。遮蔽部材９３は、加湿ロータ６３と、加湿用ファン７５の吸い込み口８１ａとの間に配置され、吸い込み口８１ａおよび加湿用空気吐出孔６５ｅと対向している部分を有する。
【００８９】
遮蔽部材９３は、加湿ロータ６３の水分放出領域６３ｂを通過した後であって加湿用ファン７５の吸い込み口８１ａに吸い込まれる前の加熱空気である加湿用空気の流れを変える機能を有する。遮蔽部材９３は、加湿用空気の流れを変えることで、高温の加湿用空気が加湿用ファン７５に局所的に当たることを防ぐ。そのため、加湿用ファン７５が加湿用空気によって耐熱温度を超えるまで局所的に加熱されることで、加湿用ファン７５が破損することが防止される。従って、加湿ユニット６０は、遮蔽部材９３によって加湿用ファン７５の局所加熱を抑えることで、加湿用ファン７５の破損を防止することができる。
【００９０】
また、加湿ユニット６０では、遮蔽部材９３は、金属製である。そのため、遮蔽部材９３が加熱空気によって加熱されることに起因する、遮蔽部材９３の熱による破損が防止される。遮蔽部材９３が破損すると、加湿用ファン７５に加熱空気が局所的に当たるおそれがある。そのため、加湿ユニット６０は、遮蔽部材９３の破損を防止することで、加湿用ファン７５の破損を防止することができる。
【００９１】
また、遮蔽部材９３は金属製であるので、加熱空気によって加熱された遮蔽部材９３は、輻射熱を放出する。遮蔽部材９３は、加湿ロータ６３と加湿用空気吐出孔６５ｅとの間に配置されているので、遮蔽部材９３からの輻射熱によって、加湿ロータ６３の水分放出領域６３ｂは、加湿用ヒータ７１の反対側から加熱される。そのため、加湿ユニット６０では、遮蔽部材９３がロータ枠壁６５に固定されていない場合に比べて、加湿ロータ６３の水分放出領域６３ｂは、より高温まで加熱されやすい。そのため、遮蔽部材９３からの輻射熱によって、水分放出領域６３ｂから放出される水分の量が増加する。従って、加湿ユニット６０は、遮蔽部材９３からの輻射熱によって、加湿量を増加させることができる。
【００９２】
また、加湿ユニット６０では、遮蔽部材９３は、加湿ロータ６３と加湿用空気吐出孔６５ｅとの間に配置される。遮蔽部材９３の遮蔽部９３ｃは、加湿用空気吐出孔６５ｅと対向する板である。加湿用空気吐出孔６５ｅは、加湿用ダクト７３を介して、加湿用ファン７５の吸い込み口８１ａに接続される。吸い込み口８１ａは、回転軸６３ｃに沿った方向において加湿用空気吐出孔６５ｅの近傍に位置している。すなわち、遮蔽部材９３の遮蔽部９３ｃは、加湿用ファン７５の吸い込み口８１ａと対向している。これにより、加湿ロータ６３を通過した加熱空気は、加湿用ファン７５の吸い込み口８１ａに吸い込まれる前に、遮蔽部９３ｃに当たる。遮蔽部９３ｃに当たった加熱空気は、遮蔽部９３ｃの周縁部に分散する。分散した加熱空気は、遮蔽部９３ｃを回り込んで加湿用空気吐出孔６５ｅから加湿用ダクト７３に流入し、加湿用ファン７５の吸い込み口８１ａに到達する。これにより、遮蔽部材９３は、吸い込み口８１ａと対向する位置に配置されている遮蔽部９３ｃによって、加湿用ファン７５に加熱空気が局所的に当たることを効果的に防ぐことができる。従って、加湿ユニット６０は、加湿用ファン７５の吸い込み口８１ａと対向する遮蔽部９３ｃを有する遮蔽部材９３を配置することで、加湿用ファン７５の破損を防止することができる。
【００９３】
また、加湿用ファン７５は、回転軸を中心に回転するファンロータ７５ａを有する。加湿用ファン７５の吸い込み口８１ａは、ファンロータ７５ａの回転軸に沿って視た場合に、ファンロータ７５ａの中央に位置する。そのため、遮蔽部材９３がロータ枠壁６５に取り付けられていない場合、加湿用ファン７５の吸い込み口８１ａに吸い込まれた加熱空気は、ファンロータ７５ａに局所的に当たりやすく、これにより、ファンロータ７５ａが熱によって破損するおそれがある。特に、ファンロータ７５ａが、加熱空気に対する耐熱性を有さない樹脂等で成形されている場合、ファンロータ７５ａは、加熱空気の熱によって破損しやすい。しかし、加湿ユニット６０は、ファンロータ７５ａに加熱空気が局所的に当たることを防ぐための遮蔽部材９３を備える。従って、加湿ユニット６０は、遮蔽部材９３によってファンロータ７５ａの加熱を抑えることで、加湿用ファン７５の破損を防止することができる。
【００９４】
（７）変形例
本発明の具体的構成は、本発明の要旨を逸脱しない範囲内で変更可能である。次に、本発明の実施形態の適用可能な変形例について説明する。
【００９５】
（７−１）変形例Ａ
実施形態の加湿ユニット６０では、遮蔽部材９３は、金属製である。しかし、遮蔽部材９３は、加熱空気に対する耐熱性を有していれば、金属以外の材質で成形されてもよい。例えば、遮蔽部材９３は、耐熱プラスチックで成形されてもよい。
【００９６】
本変形例においても、遮蔽部材９３は、加熱空気に対する耐熱性を有するので、遮蔽部材９３の熱による破損が防止される。遮蔽部材９３が破損すると、加湿用ファン７５に加熱空気が局所的に当たるおそれがある。従って、本変形例の加湿ユニット６０は、遮蔽部材９３の破損を防止することで、加湿用ファン７５の破損を防止することができる。
【００９７】
（７−２）変形例Ｂ
実施形態の加湿ユニット６０では、遮蔽部材９３は、加湿ロータ６３と加湿用空気吐出孔６５ｅとの間に配置される遮蔽部９３ｃを有する。遮蔽部９３ｃは、図６，９に示されるように、平板である。しかし、遮蔽部材９３は、他の形状を有してもよい。具体的には、遮蔽部９３ｃは、加湿用ファン７５に加熱空気が局所的に当たることを防止できる形状であれば、任意の形状を有してもよい。
【００９８】
図１０は、図９と同様の図であって、本変形例における遮蔽部材１９３を示す図である。遮蔽部材１９３は、実施形態の遮蔽部材９３と同様に、加湿用空気吐出孔６５ｅおよび吸い込み口８１ａと対向する。
【００９９】
遮蔽部材１９３は、固定部１９３ａと、連結部１９３ｂと、遮蔽部１９３ｃとから構成される。固定部１９３ａおよび連結部１９３ｂは、それぞれ、実施形態の固定部９３ａおよび連結部９３ｂと同じである。遮蔽部１９３ｃは、平板ではなく、傾斜面を有するように加工された板である。具体的には、遮蔽部１９３ｃは、４つの傾斜面１９３ｄを有する。傾斜面１９３ｄは、遮蔽部１９３ｃの中心から端部に向かって、加湿用空気吐出孔６５ｅに近付くように傾斜している面である。そのため、加湿ロータ６３を通過して遮蔽部１９３ｃに当たった加熱空気は、遮蔽部１９３ｃの周縁部に分散する際に、遮蔽部１９３ｃの４つの傾斜面１９３ｄに沿って流れやすい。すなわち、加湿ロータ６３を通過した加熱空気の流れは、遮蔽部１９３ｃによって拡散されやすく、かつ、遮蔽部１９３ｃによって阻害されにくい。従って、本変形例の遮蔽部１９３ｃを備える加湿ユニット６０は、加湿ロータ６３を通過した加熱空気の流れを効果的に拡散しつつ、高温の加熱空気が加湿用ファン７５に局所的に当たることを防ぐことができる。
【０１００】
（７−３）変形例Ｃ
実施形態の加湿ユニット６０では、遮蔽部材９３は、加湿ロータ６３と、ロータ枠壁６５の加湿用空気吐出孔６５ｅとの間に配置される。しかし、遮蔽部材９３は、加湿ロータ６３と、加湿用ファン７５の吸い込み口８１ａとの間に配置されていれば、他の場所に配置されてもよい。例えば、遮蔽部材９３は、加湿用ダクト７３内に配置されてもよい。
【産業上の利用可能性】
【０１０１】
本発明に係る加湿装置は、加湿用ファンの破損を防止することができる。
【符号の説明】
【０１０２】
６０            加湿ユニット（加湿装置）
６３            加湿ロータ
７１            加湿用ヒータ
７５            加湿用ファン
７５ａ          ファンロータ
８１ａ          吸い込み口
９３            遮蔽部材
【先行技術文献】
【特許文献】
【０１０３】
【特許文献１】特開２００１−９１００２号公報
【図１】
2018071880.tif 000003
【図２】
2018071880.tif 000004
【図３】
2018071880.tif 000005
【図４】
2018071880.tif 000006
【図５】
2018071880.tif 000007
【図６】
2018071880.tif 000008
【図７】
2018071880.tif 000009
【図８】
2018071880.tif 000010
【図９】
2018071880.tif 000011
【図１０】
2018071880.tif 000012